(57)【要約】      （修正有）【課題】エレベーターが据付された現地において保守点検作業等を行う際、保守点検作業等に必要な情報を、容易に得ることができる簡潔な構成のエレベーターの操作表示装置を得る。【解決手段】エレベーターの操作表示装置１に関し、エレベーターの動作全般を制御するエレベーター制御盤５と、エレベーターに設けられ、可視光を発する発光素子４とエレベーター制御盤からの制御信号に応じて発光素子の点灯消灯動作を含む操作表示動作全般を制御する半導体ユニットとを有する操作表示装置本体と、を具備するエレベーターの操作表示装置において、半導体ユニットは、発光素子の点灯消灯動作を制御することで、エレベーターに係る情報を発光素子の発する可視光によりメンテナンス装置へと通信する可視光通信制御手段を備えた構成とする。【選択図】図２
2009167004.tif 000002
【特許請求の範囲】
【請求項１】
エレベーターの動作全般を制御するエレベーター制御盤と、前記エレベーターに設けられ、可視光を発する発光素子と前記エレベーター制御盤からの制御信号に応じて前記発光素子の点灯消灯動作を含む操作表示動作全般を制御する半導体ユニットとを有する操作表示装置本体と、を具備するエレベーターの操作表示装置において、
前記半導体ユニットは、前記発光素子の点灯消灯動作を制御することで、エレベーターに係る情報を前記発光素子の発する可視光によりメンテナンス装置へと通信する可視光通信制御手段を備えたことを特徴とするエレベーターの操作表示装置。
【請求項２】
前記半導体ユニットは、
前記エレベーター制御盤からの制御信号に応じて、前記発光素子への点灯消灯制御信号を出力するとともに、前記可視光通信制御手段へと可視光通信によりデータを送信すべき旨の信号を出力する第１の演算処理手段と、
前記第１の演算処理手段から出力される前記発光素子への点灯消灯制御信号及び前記可視光通信制御手段から出力される可視光通信のための点灯消灯制御信号とを合成した上で、この合成の結果を点灯消灯制御信号として前記発光素子へと出力する信号合成手段と、を備えたことを特徴とする請求項１に記載のエレベーターの操作表示装置。
【請求項３】
前記可視光通信制御手段は、
前記第１の演算処理手段からの可視光通信によりデータを送信すべき旨の信号の入力を受けて、可視光通信により送信するデータを生成する送信データ作成手段と、
可視光通信における前記発光素子の点灯消灯の周期速度を決定する搬送周波数発生手段と、
前記送信データ作成手段が生成した可視光通信により送信するデータを用いて、前記搬送周波数発生手段の決定した周波数を基準として生成した可視光通信のための点灯消灯信号を、前記信号合成手段へと出力する点灯消灯制御手段とを備えたことを特徴とする請求項２に記載のエレベーターの操作表示装置。
【請求項４】
前記エレベーターに係る情報は、前記半導体ユニットに係る制御基盤型番、搭載プログラムバージョン及び生産ロットの製品情報であることを特徴とする請求項１又は請求項２のいずれかに記載のエレベーターの操作表示装置。
【請求項５】
前記エレベーターに係る情報は、前記半導体ユニットに係る制御基盤型番、搭載プログラムバージョン及び生産ロットの製品情報であり、
前記半導体ユニットは、制御基盤型番、搭載プログラムバージョン及び生産ロットの製品情報が記憶された第１の記憶手段を備え、
前記可視光通信制御手段の前記送信データ作成手段は、前記第１の記憶手段から必要な情報を取得して可視光通信により送信するデータを生成することを特徴とする請求項３に記載のエレベーターの操作表示装置。
【請求項６】
前記エレベーターに係る情報は、前記エレベーターに係る故障発生有無、故障発生日時及び故障発生対象の故障履歴情報、前記エレベーターに係る起動頻度、ドア開閉頻度及びＬＥＤ表示器の点灯時間の使用履歴情報、前記使用履歴情報を元に算出した機器の保守交換時期に関する情報、並びに、前記使用履歴情報を元に算出した機器の消費電力に関する情報のうちから選択された、一つ又は複数の情報であることを特徴とする請求項１又は請求項２のいずれかに記載のエレベーターの操作表示装置。
【請求項７】
前記エレベーターに係る情報は、前記エレベーターに係る故障発生有無、故障発生日時及び故障発生対象の故障履歴情報、前記エレベーターに係る起動頻度、ドア開閉頻度及びＬＥＤ表示器の点灯時間の使用履歴情報、前記使用履歴情報を元に算出した機器の保守交換時期に関する情報、並びに、前記使用履歴情報を元に算出した機器の消費電力に関する情報のうちから選択された、一つ又は複数の情報であり、
前記半導体ユニットの前記第１の演算処理手段は、前記エレベーター制御盤５より前記伝送路を介して前記エレベーターに係る情報を取得し、取得した前記エレベーターに係る情報を、可視光通信によりデータを送信すべき旨の信号とともに、前記送信データ作成手段へと出力し、
前記可視光通信制御手段の前記送信データ作成手段は、前記第１の演算処理手段から必要な情報を取得して可視光通信により送信するデータを生成することを特徴とする請求項３に記載のエレベーターの操作表示装置。
【請求項８】
前記エレベーター制御盤は、エレベーターの運転モードが切り替えられた際に、前記操作表示装置本体に対して運転モードが切り替えられた旨を前記伝送路を介して通信により通知し、
前記半導体ユニットは、運転モードが切り替えられた旨の通知を受けて、前記運転モードが所定の条件を満たした場合に前記第１の演算処理手段から出力される前記発光素子への点灯消灯制御信号及び前記可視光通信制御手段から出力される可視光通信のための点灯消灯制御信号との両方に基づいて前記発光素子の点灯消灯を制御すべき旨の判定をし、前記運転モードが前記所定の条件を満たしていない場合に前記第１の演算処理手段から出力される前記発光素子への点灯消灯制御信号に基づいて前記発光素子の点灯消灯を制御すべき旨の判定をする判定手段を備えたことを特徴とする請求項３、請求項５及び請求項７のいずれかに記載のエレベーターの操作表示装置。
【請求項９】
請求項１から請求項８のいずれかに記載のエレベーターの操作表示装置の備える前記発光素子から送信される可視光通信データを受信するメンテナンス装置であって、
前記発光素子から送信された可視光通信データを受光して、受光した前記可視光通信データを光信号から電気信号へと変換する受光素子と、
前記受光素子が出力した電気信号をデジタルデータに変換する受信手段と、
前記受信手段が出力したデジタルデータを演算処理し、表示手段に受信した情報を表示させる第２の演算処理手段と、を備えたことを特徴とするメンテナンス装置。
【発明の詳細な説明】
【技術分野】
【０００１】
この発明は、エレベーターの操作表示装置及びメンテナンス装置に関するものである。
【背景技術】
【０００２】
従来におけるエレベーターの操作表示装置において、作業員とエレベーター間とで、保守作業等に必要な情報を無線信号を利用して通信するものとして、携帯可能な操作盤に配列されてかご室内で操作され保守点検時に必要な機器操作用の複数個の操作ボタンと、前記操作盤に設けられ前記操作ボタンの内、操作されたものに対応する無線信号を発信する発信回路と、前記かご室内のかご操作盤やかご室天井の側部等に設置され前記無線信号を受信しそれに対応する信号を発生する受信回路と、この受信回路の出力を弁別しこれに対応する前記保守点検時に必要な機器を動作させる弁別回路と、を備えたものが知られている（例えば、特許文献１参照）。
【０００３】
【特許文献１】実開昭６２−１５０４６９号公報
【発明の開示】
【発明が解決しようとする課題】
【０００４】
近年のエレベーターにおいては、かご操作盤や乗場インジケーター等の操作表示装置本体内に、操作ボタンや表示器等を制御するためのマイコン（マイクロコンピュータ）を搭載した制御基盤が組み込まれているのが一般的になってきている。そして、エレベーターの仕様の多様化等に伴い内蔵される制御基盤の種類は年々増加する傾向にあるとともに、機能の追加、変更やコスト削減等を目的とした改良等により、その回路や電子部品等が変更になるなどして、これらに搭載されるマイコンや制御基盤についても、様々な変更が発生する。
エレベーターが据付された現地において、保守点検作業等を行う際に、これらのマイコンや制御基盤等の情報が必要となった場合、現地でこれらの情報を直接確認しようとすると、操作表示装置本体内から制御基盤（が組み込まれた器具）を取り外して、実際に制御基盤を目視により確認する必要がある。
しかし、操作表示装置本体の種類によっては、据付時に防滴対策等によりシーリングされているため、又は、意匠が特殊であるため等の理由により、容易に目視による制御基盤の確認ができない場合があり、これらの場合に制御基盤が組み込まれた器具を取り外して、実際に制御基盤を目視により確認することは、作業員に大きな作業負担を与えるという課題がある。
特に、例えば、出荷後に特定の生産ロットで不具合が発覚した場合等、短期間のうちに多くの据付現場において不具合の生じた生産ロットが含まれているかを確認する場合、多くの労力が必要になる。
また、現地において保守点検作業等を行う際、マイコンや制御基盤等の情報が必要となった場合に、エレベーターの製作された工場に問い合わせて、出荷時にどのような制御基盤等が組み込まれていたかが記録されている生産記録や出荷記録等を照会してもらう方法も考えられるが、この方法では工場に問い合わせる必要が生じるため、煩雑な手数が掛かるという課題がある。
【０００５】
以上に対する対策として、例えば、特許文献１に示されたもののように、作業員とエレベーター間とで、保守作業等に必要な情報を無線信号を利用して通信することが知られているが、この場合においては、発信回路や受信回路からなる無線機器を、無線通信が必要な箇所毎に設置する必要があり、例えば、かご室内のみならずエレベーターの乗場においても無線通信が必要であれば、各階床の乗場毎に無線機器を設置しなければならないため、設置時の作業負荷や費用の点で不利であるという課題や、無線機器をどこに配置すれば良いのかが問題となるという課題がある。
【０００６】
この発明は、前述のような課題を解決するためになされたもので、エレベーターが据付された現地において保守点検作業等を行う際、保守点検作業等に必要な情報を、容易に得ることができる簡潔な構成のエレベーターの操作表示装置を得るものである。
【課題を解決するための手段】
【０００７】
この発明に係るエレベーターの操作表示装置に関しては、エレベーターの動作全般を制御するエレベーター制御盤と、前記エレベーターに設けられ、可視光を発する発光素子と前記エレベーター制御盤からの制御信号に応じて前記発光素子の点灯消灯動作を含む操作表示動作全般を制御する半導体ユニットとを有する操作表示装置本体と、を具備するエレベーターの操作表示装置において、前記半導体ユニットは、前記発光素子の点灯消灯動作を制御することで、エレベーターに係る情報を前記発光素子の発する可視光によりメンテナンス装置へと通信する可視光通信制御手段を備えた構成とする。
また、この発明に係るエレベーターのメンテナンス装置に関しては、前述のエレベーターの操作表示装置の備える前記発光素子から送信される前記可視光通信データを受信するメンテナンス装置であって、前記発光素子から送信された可視光通信データを受光して、受光した前記可視光通信データを光信号から電気信号へと変換する受光素子と、前記受光素子が出力した電気信号をデジタルデータに変換する受信手段と、前記受信手段が出力したデジタルデータを演算処理し、表示手段に受信した情報を表示させる第２の演算処理手段と、を備えた構成とする。
【発明の効果】
【０００８】
この発明はエレベーターの操作表示装置に関し、エレベーターの動作全般を制御するエレベーター制御盤と、前記エレベーターに設けられ、可視光を発する発光素子と前記エレベーター制御盤からの制御信号に応じて前記発光素子の点灯消灯動作を含む操作表示動作全般を制御する半導体ユニットとを有する操作表示装置本体と、を具備するエレベーターの操作表示装置において、前記半導体ユニットは、前記発光素子の点灯消灯動作を制御することで、エレベーターに係る情報を前記発光素子の発する可視光によりメンテナンス装置へと通信する可視光通信制御手段を備えた構成としたことで、エレベーターが据付された現地において保守点検作業等を行う際、保守点検作業等に必要な情報を、容易に得ることができる。
【０００９】
この発明はエレベーターのメンテナンス装置に関し、前述のエレベーターの操作表示装置の備える前記発光素子から送信される前記可視光通信データを受信するメンテナンス装置であって、前記発光素子から送信された可視光通信データを受光して、受光した前記可視光通信データを光信号から電気信号へと変換する受光素子と、前記受光素子が出力した電気信号をデジタルデータに変換する受信手段と、前記受信手段が出力したデジタルデータを演算処理し、表示手段に受信した情報を表示させる第２の演算処理手段と、を備えた構成としたことで、前述のエレベーターの操作表示装置とともに用いられることにより、前述同様の効果を奏する。
【発明を実施するための最良の形態】
【００１０】
実施の形態１．
図１から図３は、この発明の実施の形態１に関するもので、図１は操作表示装置本体及びメンテナンス装置を使用している状況を示す説明図、図２は操作表示装置本体の構成を示すブロック図、図３はメンテナンス装置の構成を示すブロック図である。
図において１はエレベーターの各停止階床の乗場に設けられた操作表示装置本体であり、この操作表示装置本体１には、現在におけるエレベーターの通過中又は停止中の階床や進行方向等の運行状況を表示する乗場インジケーター２と、押下することにより上方向又は下方向の乗場呼びを登録し、該当方向の乗場呼び登録時にはボタン本体が点灯する乗場ボタン３が設けられている。これらの前記乗場インジケーター２及び前記乗場ボタン３は、可視光を発するＬＥＤ等の発光素子４を備えている。
５はエレベーターの運転に係る全般を制御するエレベーター制御盤であり、このエレベーター制御盤５は、前記操作表示装置本体１等と伝送路６により電気的に接続され、エレベーターの運行動作に応じて各種制御信号を通信している。
前記操作表示装置本体１は、エレベーターの運行動作に応じて点灯、消灯する前記発光素子４、及び、前記エレベーター制御盤５からの制御信号に応じて前記発光素子の点灯消灯動作を含む操作表示動作全般を制御する半導体ユニット７とから構成されている。
【００１１】
前記半導体ユニット７は、前記発光素子４を用いた可視光通信を制御する可視光通信制御手段８、前記エレベーター制御盤５からの制御信号に応じて、前記発光素子４への点灯消灯制御信号を出力するとともに、前記可視光通信制御手段８へと可視光通信によりデータを送信すべき旨の信号を出力する第１の演算処理手段７ａ、工場出荷時点等において予め、制御基盤型番、搭載プログラムバージョン及び生産ロット等の製品情報が記憶された第１の記憶手段７ｂ、及び、前記第１の演算処理手段７ａから出力される前記発光素子４への点灯消灯制御信号及び前記可視光通信制御手段８から出力される可視光通信のための点灯消灯制御信号とを合成した上で、この合成の結果を点灯消灯制御信号として前記発光素子４へと出力する信号合成手段７ｃとから構成されている。
【００１２】
前記可視光通信制御手段８は、前記第１の演算処理手段７ａからの可視光通信によりデータを送信すべき旨の信号の入力を受けて、前記第１の記憶手段７ｂから必要な情報を取得し、可視光通信により送信するデータを生成する送信データ作成手段８ａ、可視光通信における前記発光素子４の点灯消灯の周期速度を決定する搬送周波数発生手段８ｂ、及び、前記送信データ作成手段８ａが生成した可視光通信により送信するデータを用いて、前記搬送周波数発生手段８ｂの決定した周波数を基準として生成した可視光通信のための点灯消灯信号を、前記信号合成手段７ｃへと出力する点灯消灯制御手段８ｃとから構成されている。
前記発光素子４は、前記半導体ユニット７が出力する点灯消灯制御信号に従って、十分高速で任意に点灯消灯することができるＬＥＤ等が用いられる。
【００１３】
９は前記操作表示装置本体１から送信される可視光通信データを受信するメンテナンス装置であり、受光部９ａにより受光した前記発光素子４から送信された可視光通信データを光信号から電気信号へと変換する受光素子９ｂ（例えばフォトダイオードやＣＣＤカメラ素子）、前記受光素子９ｂが出力した電気信号をデジタルデータ（例えば８ビットの２進数データ）に変換する受信手段９ｃ、及び、前記受信手段９ｃが出力したデジタルデータを演算処理し、第２の記憶手段９ｅに受信した情報を記憶させ、又は、表示手段９ｆに受信した情報若しくは前記第２の記憶手段９ｅの記憶している情報を表示させる第２の演算処理手段９ｄとから構成されている。
【００１４】
前記第１の演算処理手段７ａは、前記エレベーター制御盤５からの制御信号に応じて、前記信号合成手段７ｃへと点灯消灯制御信号を出力するとともに、一定時間毎に前記送信データ作成手段８ａへと可視光通信によりデータを送信すべき旨の信号を出力する。
前記送信データ作成手段８ａは、この前記第１の演算処理手段７ａからの信号を受けて、前記第１の記憶手段７ｂから必要な情報を取得して可視光通信データを生成し、前記点灯消灯制御手段８ｃへと出力する。前記点灯消灯制御手段８ｃは、前記送信データ作成手段８ａから出力された可視光通信データを受けて、前記搬送周波数発生手段８ｂが決定した周波数を基準として可視光通信のための点灯消灯信号生成し、前記信号合成手段７ｃへと出力する。
前記信号合成手段７ｃは、前記第１の演算処理手段７ａから出力される点灯消灯制御信号と、前記点灯消灯制御手段８ｃから出力される可視光通信のための点灯消灯制御信号とを合成した上で、この合成の結果を点灯消灯制御信号として前記発光素子４へと出力する。
そして、前記発光素子４は、前記信号合成手段７ｃから出力された点灯消灯制御信号に従って、点灯消灯することで、可視光により可視光通信データを送信する。ここでは、可視光通信データを送信する前記発光素子４は、例えば前記乗場ボタン３に備えられたＬＥＤだとする。
【００１５】
保守員１０は、前記メンテナンス装置９の前記受光部９ａを、前記発光素子４が点灯消灯している前記乗場ボタン３へと向け、前記発光素子４からの可視光通信データを前記メンテナンス装置９により受信する。
受信した可視光通信データは、前記受光素子９ｂにより光信号から電気信号へと変換された上で、前記受信手段９ｃによりデジタルデータへと変換される。そして、前記保守員１０は、前記第２の演算処理手段９ｄにより演算処理されることにより、前記第２の記憶手段９ｅに記憶され、前記表示手段９ｆに表示された情報を利用する。
【００１６】
以上のように構成されたエレベーターの操作表示装置においては、操作表示装置本体が主に情報を表示するために有する発光素子を可視光通信の送信部として利用して、制御基盤等の製品情報を可視光通信により送信することで、新たに通信用のハードウェア機器を設けることなく簡潔な構成により、エレベーターが据付された現地において保守点検作業等を行う際、保守点検作業等に必要な情報を、操作表示装置本体内から制御基盤等を取り外して実際に制御基盤を目視により確認しなくとも、容易に得ることができ、効率的にエレベーターの保守点検作業を行うことが可能である。
なお、操作表示装置本体は、乗場に設けられた乗場インジケーター等だけでなく、かご室内に設けられたかご室操作盤等、エレベーターに設けられ、発光素子を具備する操作表示機器類であればよい。
【００１７】
実施の形態２．
ここで説明する実施の形態２は、前述した実施の形態１の構成において、エレベーター運転モードにより、可視光通信機構を利用するか否かを自動的に切り替えるように構成したしたものである。
すなわち、前記半導体ユニット７には、前記第１の演算処理手段７ａから出力される前記発光素子４への点灯消灯制御信号のみに基づいて前記発光素子４の点灯消灯を制御するべきか、あるいは、前記第１の演算処理手段７ａから出力される前記発光素子４への点灯消灯制御信号及び前記可視光通信制御手段８から出力される可視光通信のための点灯消灯制御信号との両方に基づいて前記発光素子４の点灯消灯を制御するべきか、を判定する判定手段７ｄが設けられており、他の構成は実施の形態１と同様である。
【００１８】
前記エレベーター制御盤５は、エレベーターの運転モードが保守員１０の操作等により切り替えられると、前記操作表示装置本体１に対して運転モードが切り替えられた旨を前記伝送路６を介して通信により通知する。
この通知を受けて、前記判定手段７ｄは、前記第１の演算処理手段７ａから出力される前記発光素子４への点灯消灯制御信号のみに基づいて前記発光素子４の点灯消灯を制御するべきか、あるいは、前記第１の演算処理手段７ａから出力される前記発光素子４への点灯消灯制御信号及び前記可視光通信制御手段８から出力される可視光通信のための点灯消灯制御信号との両方に基づいて前記発光素子４の点灯消灯を制御するべきか、を判定する。
この判定については、例えば、エレベーターの保守点検を行うための運転モードになっているときのみ、前記第１の演算処理手段７ａから出力される前記発光素子４への点灯消灯制御信号及び前記可視光通信制御手段８から出力される可視光通信のための点灯消灯制御信号との両方に基づいて前記発光素子４の点灯消灯を制御するように、すなわち可視光通信を行うように予め設定しておくことが考えられる。
そして、前記判定手段７ｄは、判定の結果、可視光通信を行う運転モードであった場合には、前記可視光通信制御手段８へと可視光通信のための点灯消灯信号を出力すべき旨の制御信号を出力する。
その後の動作については、実施の形態１と同様である。
なお、判定手段７ｄでの判定の結果、可視光通信を行う運転モードでなかった場合には、前記可視光通信制御手段８へと可視光通信のための点灯消灯信号を出力すべき旨の制御信号は出力されず、前記可視光通信制御手段８は可視光通信のための点灯消灯信号を出力しない。
【００１９】
以上のように構成されたエレベーターの操作表示装置においては、実施の形態１と同様の効果を奏することができるのに加えて、エレベーター通常運転モードである場合には製品情報の可視光通信は行わず、保守員によりエレベーターが保守点検モード等の特定の運転モードとなった場合のみ、製品情報の可視光通信を行うことにより、可視光通信データを受信する相手がないときは可視光通信処理を止め、半導体ユニットの演算処理負荷を軽減することができ、エネルギー消費量の削減を図ることが可能である。
【００２０】
実施の形態３．
ここで説明する実施の形態３は、前述した実施の形態１又は実施の形態２の構成において、制御基盤型番、搭載プログラムバージョン及び生産ロット等の製品情報のみならず、故障履歴情報、使用履歴情報及び消費電力情報等のエレベーターに関する各種情報を可視光により通信するように構成したものである。
すなわち、前記第１の演算処理手段７ａは、前記エレベーター制御盤５より前記伝送路６を介して、故障発生有無、故障発生日時及び故障発生対象等の故障履歴情報、起動頻度、ドア開閉頻度及びＬＥＤ表示器等の点灯時間等の使用履歴情報、使用履歴情報を元に算出した機器の保守交換時期に関する情報、並びに、使用履歴情報を元に算出した機器の消費電力に関する情報等を取得し、これらの情報を、可視光通信によりデータを送信すべき旨の信号とともに、前記送信データ作成手段８ａへと出力する。
そして、前記送信データ作成手段８ａは、前記第１の記憶手段７ｂから取得した情報のみならず、前記第１の演算処理手段７ａから出力された、故障履歴情報、使用履歴情報、機器の保守交換時期に関する情報及び消費電力に関する情報等に基づいて可視光通信により送信するデータを生成する。
なお、他の構成及び動作については実施の形態１又は実施の形態２と同様である。
【００２１】
以上のように構成されたエレベーターの操作表示装置においては、実施の形態１又は実施の形態２と同様の効果を奏することができるのに加えて、従来であれば、機械室に制御盤が設置されている場合には保守員が通常最上階にある機械室まで移動した後、制御盤から必要な情報を取得したり、機械室がなく制御盤が昇降路内に設置されている場合にはエレベーターの運転を停止した後、保守員が昇降路内に入り、制御盤から必要な情報を取得したりしなければ、得ることができなかった故障履歴情報、使用履歴情報、機器の保守交換時期に関する情報及び消費電力に関する情報等を、制御盤まで作業員が行かなくとも、また、エレベーターの運転を停止しなくとも容易に取得することができ、作業員のみならずエレベーターの利用者にとっても便宜である。
これは特に、故障履歴情報等の高い頻度（例えば１日程度の間隔で）で取得することが望ましい情報に関して、より高い効果を奏する。
また、機器の保守交換時期に関する情報及び消費電力に関する情報等を利用する者は、保守員に限られず、例えば、当該エレベーターの所有者等も考えられる。
【００２２】
なお、以上に関しては、エレベーターの動作全般を制御するエレベーター制御盤と、エレベーターに設けられ、可視光を発する発光素子とエレベーター制御盤からの制御信号に応じて発光素子の点灯消灯動作を含む操作表示動作全般を制御する半導体ユニットとを有する操作表示装置本体と、を具備する既設のエレベーターの操作表示装置に対して、その半導体ユニットに、発光素子の点灯消灯動作を制御することで、エレベーターに係る情報を発光素子の発する可視光により通信する可視光通信制御手段等を追加して設けることにより、本発明と同様の効果を奏することができるように改修を施すことが可能である。
【図面の簡単な説明】
【００２３】
【図１】この発明の実施の形態１における操作表示装置本体及びメンテナンス装置を使用している状況を示す説明図である。
【図２】この発明の実施の形態１における操作表示装置本体の構成を示すブロック図である。
【図３】この発明の実施の形態１におけるメンテナンス装置の構成を示すブロック図である。
【符号の説明】
【００２４】
１    操作表示装置本体
２    乗場インジケーター
３    乗場ボタン
４    発光素子
５    エレベーター制御盤
６    伝送路
７    半導体ユニット
７ａ  第１の演算処理手段
７ｂ  第１の記憶手段
７ｃ  信号合成手段
７ｄ  判定手段
８    可視光通信制御手段
８ａ  送信データ作成手段
８ｂ  搬送周波数発生手段
８ｃ  点灯消灯制御手段
９    メンテナンス装置
９ａ  受光部
９ｂ  受光素子
９ｃ  受信手段
９ｄ  第２の演算処理手段
９ｅ  第２の記憶手段
９ｆ  表示手段
１０    保守員
【図１】
2009167004.tif 000003
【図２】
2009167004.tif 000004
【図３】
2009167004.tif 000005